(57)【要約】【課題】遊技者が球に触れることなく、下皿や上皿から球を抜き取れるようにする。【解決手段】揚送モータ１２が停止した状態において、下扉操作体８が開操作されることなく、揚送操作体１５が操作されれば、揚送体１１が球を下皿２から上皿１に揚送する態様になり、揚送モータ１２が停止した状態において、下扉操作体８が開操作され、揚送操作体１５が操作されれば、揚送体１１が揚送筐体１０の内部に残存した球を上皿１に排出する態様になり、揚送モータ１２が駆動した状態において、下扉操作体８が開操作されることなく、揚送操作体１５が操作されれば、揚送体１１が球を揚送筐体１０の内部に残存する態様になり、揚送モータ１２が駆動した状態において、下扉操作体８が開操作され、揚送操作体１５が操作されれば、揚送体１１が球を規定時間だけ揚送した後に停止し、揚送体１１が球を揚送筐体１０の内部に残存しない態様になる。【選択図】図１
2008188094.tif 000002
【特許請求の範囲】
【請求項１】
遊技に使用する球を貯蔵する上皿と、上皿から抜き取られる球を貯蔵する下皿と、上皿から下皿に球を抜き取る抜取通路と、抜取通路を開閉する上抜扉と、下皿から上皿に球を運搬する揚送機構と、下皿から下方外部に球を抜き取る下抜取口部と、下抜取口部を開閉する下抜取扉と、下抜取扉による下抜取口部の開閉を検出する抜取スイッチと、制御装置とを備え、下皿の球と接触する底面が球を下抜取口部に向けて流下させる斜面として構成され、揚送機構は、揚送筐体と揚送体と揚送モータと揚送入路と揚送出路と揚送操作体と揚送スイッチとを備え、揚送モータが停止した状態において、抜取スイッチが下抜取扉による下抜取口部の閉信号を制御装置に出力し、揚送スイッチが揚送操作体の操作によるオン信号を制御装置に出力すると、揚送体が球を揚送するように制御装置が揚送モータを駆動して、揚送体が球を下皿から上皿に揚送する態様になり、揚送モータが停止した状態において、抜取スイッチが下抜取扉による下抜取口部の開信号を制御装置に出力し、揚送スイッチが揚送操作体の操作によるオン信号を制御装置に出力すると、揚送体が球を揚送するように制御装置が揚送モータを駆動して、揚送体が揚送筐体の内部に残存した球を上皿に排出する態様になり、揚送モータが駆動した状態において、抜取スイッチが下抜取扉による下抜取口部の閉信号を制御装置に出力し、揚送スイッチが揚送操作体の操作によるオン信号を制御装置に出力すると、揚送体が球を揚送しないように制御装置が揚送モータを停止して、揚送体が球を揚送筐体の内部に残存する態様になり、揚送モータが駆動した状態において、抜取スイッチが下抜取扉による下抜取口部の開信号を制御装置に出力し、揚送スイッチが揚送操作体の操作によるオン信号を制御装置に出力すると、揚送体が球を規定時間だけ揚送した後に制御装置が揚送モータを停止して、揚送体が球を揚送筐体の内部に残存しない態様になることを特徴とする遊技機の皿揚球装置。
【発明の詳細な説明】
【技術分野】
【０００１】
本発明は、遊技者が球に触れることなく、下皿や上皿から球が抜き取れる遊技機の皿揚球装置に関する。
【背景技術】
【０００２】
球を遊技媒体として使用するパチンコ遊技機などの遊技機では、下皿から上皿に球を搬送する皿揚球装置が知られている。図１０は、特許文献１で開示された皿揚球装置を示す。図１０において、上皿１および下皿２には抜取通路３が接続され、上抜取扉４が抜取通路３に設けられ、上扉操作体５が上抜取扉４に連結され、下抜取口部６が下皿２に設けられ、下抜取扉７が下抜取口部６に設けられ、下扉操作体８が下抜取扉７に連結される。上皿１および下皿２には揚送機構９が設けられる。揚送機構９は、揚送筐体１０、揚送体１１、揚送モータ１２、揚送入路１３、揚送出路１４、揚送操作体１５、揚送スイッチ１６を備える。そして、下抜取扉７が下抜取口部６を閉鎖し、上抜取扉４が抜取通路３を閉鎖し、球が上皿１に貯蔵された状態において、遊技者が上扉操作体５を開方向に操作すると、上抜取扉４が抜取通路３を開放し、球が矢印Ｘ１で示すように上皿１から抜取通路３を経由して下皿２に排出され、下皿２に排出された球が矢印Ｘ２で示すように揚送入路１３から揚送筐体１０の下部に取り込まれ、揚送入路１３から下皿２の方に溢れた球が下皿２に貯蔵される。球が下皿２に貯蔵され、球箱１９が下抜取口部６の真下に位置するように遊技機設置設備の棚２０の上に置かれた状態において、遊技者が下扉操作体８を開方向に操作すると、下抜取扉７が下抜取口部６を開放し、球が矢印Ｘ３で示すように下抜取口部６から落下して球箱１９に取り込まれる。この場合、上記揚送筐体１０の下部に貯蔵された球は、揚送筐体１０の下部に残存されたままである。また、球が下皿２および揚送筐体１０の下部に貯蔵された状態において、遊技者が、揚送操作体１５を操作すると、揚送スイッチ１６が揚送開始信号を制御装置１７に出力し、制御装置１７が揚送モータ１２を駆動し、揚送モータ１２が揚送体１１を回転し、揚送体１１が揚送筐体１０の下部に残存する球および下皿２に貯蔵された球を上方に搬送する。この上方に搬送された球は矢印Ｘ４で示すように揚送筐体１０の上部から揚送出路１４を経由して上皿１に排出される。しかしながら、下皿２の球に接触する底面１８が球を揚送入路１３に向けて流下させる斜面を構成しているので、球が揚送入路１３に残る構造になっている。このため、揚送筐体１０の下部に残存する球を抜き取る場合、遊技者が揚送入路１３の底面１８に貫通する入口を手で塞ぎかつ上扉操作体５と下扉操作体８および揚送操作体１５を操作することによって、上抜取扉４が抜取通路３を開放し、下抜取扉７が下抜取口部６を開放し、揚送モータ１２が揚送体１１を回転し、揚送体１１が揚送筐体１０の下部に残存する球を揚送操作体１５で上皿１に揚送し、この球を上皿１から抜取通路３を経由して下皿２に排出させ、この球を下皿２から下抜取口部６を経由して球箱１９に抜き取らせる必要があり、遊技者が揚送入路１３の底面１８に貫通する入口を手で塞ぐことから、遊技者が球に触れなければならないという欠点がある。
【特許文献１】特開２００１−３５３３２２号公報
【特許文献２】特開２００３−３４００８６号公報
【発明の開示】
【発明が解決しようとする課題】
【０００３】
発明が解決しようとする問題点は、揚送入路に残存する球を抜き取る場合、遊技者が球に触れなければならないという点である。
【課題を解決するための手段】
【０００４】
本発明に係る遊技機の皿揚球装置は、遊技に使用する球を貯蔵する上皿と、上皿から抜き取られる球を貯蔵する下皿と、上皿から下皿に球を抜き取る抜取通路と、抜取通路を開閉する上抜扉と、下皿から上皿に球を運搬する揚送機構と、下皿から下方外部に球を抜き取る下抜取口部と、下抜取口部を開閉する下抜取扉と、下抜取扉による下抜取口部の開閉を検出する抜取スイッチと、制御装置とを備え、下皿の球と接触する底面が球を下抜取口部に向けて流下させる斜面として構成され、揚送機構は、揚送筐体と揚送体と揚送モータと揚送入路と揚送出路と揚送操作体と揚送スイッチとを備え、揚送モータが停止した状態において、抜取スイッチが下抜取扉による下抜取口部の閉信号を制御装置に出力し、揚送スイッチが揚送操作体の操作によるオン信号を制御装置に出力すると、揚送体が球を揚送するように制御装置が揚送モータを駆動して、揚送体が球を下皿から上皿に揚送する態様になり、揚送モータが停止した状態において、抜取スイッチが下抜取扉による下抜取口部の開信号を制御装置に出力し、揚送スイッチが揚送操作体の操作によるオン信号を制御装置に出力すると、揚送体が球を揚送するように制御装置が揚送モータを駆動して、揚送体が揚送筐体の内部に残存した球を上皿に排出する態様になり、揚送モータが駆動した状態において、抜取スイッチが下抜取扉による下抜取口部の閉信号を制御装置に出力し、揚送スイッチが揚送操作体の操作によるオン信号を制御装置に出力すると、揚送体が球を揚送しないように制御装置が揚送モータを停止して、揚送体が球を揚送筐体の内部に残存する態様になり、揚送モータが駆動した状態において、抜取スイッチが下抜取扉による下抜取口部の開信号を制御装置に出力し、揚送スイッチが揚送操作体の操作によるオン信号を制御装置に出力すると、揚送体が球を規定時間だけ揚送した後に制御装置が揚送モータを停止して、揚送体が球を揚送筐体の内部に残存しない態様になることを最も主要な特徴とする。
【発明の効果】
【０００５】
本発明に係る遊技機の皿揚球装置は、揚送モータが停止した状態において、下扉操作体が開操作されることなく、揚送操作体が操作されれば、揚送体が球を下皿から上皿に揚送する態様になり、揚送モータが停止した状態において、下扉操作体が開操作され、揚送操作体が操作されれば、揚送体が揚送筐体の内部に残存した球を上皿に排出する態様になり、揚送モータが駆動した状態において、下扉操作体が開操作されることなく、揚送操作体が操作されれば、揚送体が球を揚送筐体の内部に残存する態様になり、揚送モータが駆動した状態において、下扉操作体が開操作され、揚送操作体が操作されれば、揚送体が球を規定時間だけ揚送した後に停止し、揚送体が球を揚送筐体の内部に残存しない態様になるので、遊技者が揚送入路を手などで塞ぐことが不要であって、遊技者が球に触れることがなく、下皿や上皿から全ての球が抜き取れるという利点がある。
【発明を実施するための最良の形態】
【０００６】
図１乃至図６は、発明を実施するための最良の形態である。図１は、遊技機の皿揚球装置を示す。図２は、下皿２を示す。図３は、図２をＡ−Ａ線に沿って切断した断面を示す。図４は、揚送扉２１が揚送入口２６を開放した図３に相当する断面を示す。図５は、図２をＢ−Ｂ線に沿って切断した断面を示す。図６は、皿揚球装置を搭載したパチンコ遊技機を示す。本明細書において、「前」、「後」、「左」、「右」、「上」、「下」の方向は、図６の状態に遊技機枠３１を置いて矢印Ｓで示す前側から見た場合に特定される方向である。
【０００７】
図１を参照し、遊技機の皿揚球装置について説明する。先ず、特徴的な構造について説明する。下皿２の底面１８が球を下抜取口部６に向けて流下させる斜面を構成し、揚送扉２１が揚送入路１３の底面１８に貫通する入口に設けられ、扉モータ２２の筐体が皿揚球装置の固定部に設けられ、扉モータ２２の出力軸が揚送扉２１に連結され、扉モータ２２が制御装置１７で制御され、下抜取扉７の開閉を感知する抜取スイッチ２３が皿揚球装置の固定部に設けられ、下抜取扉７が下抜取口部６を開放した場合に抜取スイッチ２３が扉開信号を制御装置１７に出力し、下抜取扉７が下抜取口部６を閉鎖した場合に抜取スイッチ２３が扉閉信号を制御装置１７に出力する。上記扉モータ２２の筐体や抜取スイッチ２３が設けられる皿揚球装置の固定部の例としては、下皿２などである。
【０００８】
特徴的な動作について説明する。制御装置１７に内蔵されたコンピュータが電気の供給を受けて起動し、当該コンピュータが制御装置１７を示すブロックの中に図示したフローチャートにしたがった処理を実行する。つまり、制御装置１７に内蔵されたコンピュータが起動し、制御装置１７の処理が始まった後、揚送操作体１５が操作され、揚送スイッチ１６が揚送開始信号を制御装置１７に出力すると、ステップ１０１の揚送スイッチオンであるかの判定がＹＥＳとなり、ステップ１０２に進む。
【０００９】
ステップ１０２では、揚送モータ駆動中であるかを判定する。ステップ１０２の判定において、揚送モータ駆動中であれば、揚送機構９が揚送動作していることから、ステップ１０１で入力された揚送開始信号が再入力された２回目の揚送開始信号であり、ステップ１０２がＹＥＳになり、ステップ１０３に進む。ステップ１０３では、下抜取扉７が下抜取口部６を閉鎖しているかを判定する。ステップ１０３の判定において、抜取スイッチ２３から扉閉信号が制御装置１７に入力されていることから、下抜取扉７が下抜取口部６を閉鎖していれば、ステップ１０３がＹＥＳになり、ステップ１０４に進む。ステップ１０４では、揚送扉２１が揚送入路１３を閉鎖するように、制御装置１７が扉モータ２２を制御し、ステップ１０５に進む。ステップ１０５では、制御装置１７が揚送モータ１２を停止し、コンピュータによる処理の１サイクルを終わる。
【００１０】
ステップ１０３の判定において、抜取スイッチ２３から扉開信号が制御装置１７に入力されていることから、下抜取扉７が下抜取口部６を開放していれば、ステップ１０３がＮＯになり、ステップ１０６に進む。ステップ１０６では、揚送扉２１が揚送入路１３を閉鎖するように、制御装置１７が扉モータ２２を制御し、ステップ１０７に進む。ステップ１０７では、ステップ１０６で揚送扉２１が閉じてからの揚送経過時間を計時し、ステップ１０８に進む。ステップ１０８では、ステップ１０７で計時した揚送経過時間が規定時間に到達したか否かを判定する。ステップ１０８の判定において、揚送経過時間が規定時間に到達していなければ、ステップ１０８がＮＯであり、ステップ１０７に戻る。ステップ１０８の判定において、揚送経過時間が規定時間に到達していれば、ステップ１０８がＹＥＳになり、ステップ１０５に進む。
【００１１】
前記ステップ１０２の判定において、揚送モータ駆動中でなければ、揚送機構９が揚送動作を停止していることから、ステップ１０１で入力された揚送開始信号が再入力ではない１回目の揚送開始信号であり、ステップ１０２がＮＯになり、ステップ１０９に進む。ステップ１０９では、下抜取扉７が下抜取口部６を閉鎖しているかを判定する。ステップ１０９の判定において、抜取スイッチ２３から扉閉信号が制御装置１７に入力されていることから、下抜取扉７が下抜取口部６を閉鎖していれば、ステップ１０９がＹＥＳになり、ステップ１１０に進む。ステップ１１０では、揚送扉２１が揚送入路１３を開放するように、制御装置１７が扉モータ２２を制御し、ステップ１１１に進む。ステップ１１１では、制御装置１７が揚送モータ１２を駆動し、コンピュータによる処理の１サイクルを終わる。
【００１２】
ステップ１０９の判定において、抜取スイッチ２３から扉開信号が制御装置１７に入力されていることから、下抜取扉７が下抜取口部６を開放していれば、ステップ１０９がＮＯになり、ステップ１１２に進む。ステップ１１２では、揚送扉２１が揚送入路１３を閉鎖するように、制御装置１７が揚送モータ１２を制御し、ステップ１１３に進む。ステップ１１３では、制御装置１７が揚送モータ１２を駆動し、ステップ１１４に進む。ステップ１１４では、ステップ１１２で揚送扉２１が閉じてからの揚送経過時間を計時し、ステップ１１５に進む。ステップ１１５では、ステップ１１４で計時した揚送経過時間が規定時間に到達したか否かを判定する。ステップ１１５の判定において、揚送経過時間が規定時間に到達していなければ、ステップ１１５がＮＯであり、ステップ１１４に戻る。ステップ１１５の判定において、揚送経過時間が規定時間に到達していれば、ステップ１１５がＹＥＳになり、ステップ１１６に進む。ステップ１１６では、制御装置１７が揚送モータ１２を停止し、コンピュータによる処理の１サイクルを終わる。
【００１３】
ステップ１０８の規定時間およびステップ１１５の規定時間は、互いに同じ時間であって、揚送扉２１が揚送入路１３を閉鎖してから揚送体１１が揚送入路１３に残存する全ての球を揚送出路１４に揚送するまでに要する時間として、経験則から求められ、制御装置１７におけるコンピュータのＲＯＭに設定される。
【００１４】
ステップ１０２における揚送モータ駆動中であるかを判定するには、揚送モータ駆動中を示すフラグによる場合または揚送スイッチオンの入力回数による場合がある。揚送モータ駆動中を示すフラグによる場合、揚送モータ駆動中を示すフラグがＲＡＭに設定されていれば、ステップ１０２がＹＥＳになり、揚送モータ駆動中を示すフラグがＲＡＭに設定されていなければ、ステップ１０２がＮＯになる。揚送モータ駆動中を示すフラグは、ステップ１１１において制御装置１７のコンピュータが揚送モータ１２を駆動する場合に揚送モータ駆動中を示すフラグをＲＡＭに設定し、ステップ１０５において制御装置１７のコンピュータが揚送モータ１２を停止する場合に揚送モータ駆動中を示すフラグをＲＡＭから消去する。揚送スイッチオンの入力回数による場合、揚送スイッチオンの入力回数としての例えば「１」がＲＡＭに設定されていれば、ステップ１０２がＹＥＳになり、揚送スイッチオンの入力回数としての例えば「０」がＲＡＭに設定されていれば、ステップ１０２がＮＯになる。揚送スイッチオンの入力回数は、ステップ１１１において制御装置１７のコンピュータが揚送モータ１２を駆動する場合に「１」をＲＡＭに設定し、ステップ１０５において制御装置１７のコンピュータが揚送モータ１２を停止する場合に「０」をＲＡＭに設定する。
【００１５】
上記制御装置１７の処理によれば、揚送モータ１２が停止した状態において、下扉操作体８が開操作されることなく、下抜取扉７が下抜取口部６を閉鎖し、揚送操作体１５が操作されると、揚送扉２１が揚送入路１３を開放するように制御装置１７が扉モータ２２を制御し、かつ、揚送体１１が球を揚送するように制御装置１７が揚送モータ１２を駆動する。これは、ステップ１０１がＹＥＳ、ステップ１０２がＮＯ、ステップ１０９がＹＥＳ、ステップ１１０、ステップ１１１の処理である。つまり、揚送モータ１２が停止した状態において、下抜取扉７が下抜取口部６を閉鎖したまま、揚送操作体１５が操作されれば、揚送扉２１が揚送入路１３を開放し、揚送機構９が揚送動作を開始する。よって、揚送体１１が球を下皿２から上皿１に揚送する態様になる。
【００１６】
揚送モータ１２が停止した状態において、下扉操作体８が開操作されて、下抜取扉７が下抜取口部６を開放し、揚送操作体１５が操作されると、揚送扉２１が揚送入路１３を閉鎖するように制御装置１７が扉モータ２２を制御し、かつ、揚送体１１が球を規定時間だけ揚送した後に制御装置１７が揚送モータ１２を停止する。これは、ステップ１０１がＹＥＳ、ステップ１０２がＮＯ、ステップ１０９がＮＯ、ステップ１１２乃至ステップ１１６の処理である。つまり、揚送モータ１２が停止した状態において、下抜取扉７が下抜取口部６を開放したまま、揚送操作体１５が操作されれば、揚送扉２１が揚送入路１３を閉鎖し、揚送機構９が揚送扉２１による揚送入路１３の閉鎖から規定時間後に揚送動作を停止する。よって、揚送体１１が球を揚送筐体１０の内部に残存しない態様になる。
【００１７】
揚送モータ１２が駆動した状態において、下扉操作体８が開操作されることなく、下抜取扉７が下抜取口部６を閉鎖し、揚送操作体１５が操作されると、揚送扉２１が揚送入路１３を閉鎖するように制御装置１７が扉モータ２２を制御し、かつ、揚送体１１が球を揚送しないように制御装置１７が揚送モータ１２を停止する。これは、ステップ１０１がＹＥＳ、ステップ１０２がＹＥＳ、ステップ１０３がＹＥＳ、ステップ１０４、ステップ１０５の処理である。つまり、揚送モータ１２が駆動した状態において、下抜取扉７が下抜取口部６を閉鎖したまま、揚送操作体１５が操作されれば、揚送扉２１が揚送入路１３を開放し、揚送機構９が揚送動作を停止する。よって、揚送体１１が球を揚送筐体１０の内部に残存する態様になる。
【００１８】
揚送モータ１２が駆動した状態において、下扉操作体８が開操作されて、下抜取扉７が下抜取口部６を開放し、揚送操作体１５が操作されると、揚送扉２１が揚送入路１３を閉鎖するように制御装置１７が扉モータ２２を制御し、かつ、揚送体１１が球を規定時間だけ揚送した後に制御装置１７が揚送モータ１２を停止する。これは、ステップ１０１がＹＥＳ、ステップ１０２がＹＥＳ、ステップ１０３がＮＯ、ステップ１０６乃至ステップ１０８、ステップ１０５の処理である。つまり、揚送モータ１２が駆動した状態において、下抜取扉７が下抜取口部６を開放したまま、揚送操作体１５が操作されれば、揚送扉２１が揚送入路１３を閉鎖し、揚送機構９が揚送扉２１による揚送入路１３の閉鎖から規定時間後に揚送動作を停止する。よって、揚送体１１が球を揚送筐体１０の内部に残存しない態様になる。
【００１９】
最良の形態によれば、揚送扉２１が揚送入路１３の底面１８に貫通する入口に設けられているので、揚送扉２１が揚送入路１３を閉鎖し、下抜取扉７が下抜取口部６を閉鎖し、上皿１に球が貯蔵された状態において、遊技者が上扉操作体５を開方向に操作すると、上抜取扉４が抜取通路３を開放し、球が上皿１から抜取通路３を経由して下皿２に排出され、遊技者が球に触れることなく、下皿２に排出された球が揚送入路１３や揚送筐体１０の下部に取り込まれることなく下皿２に貯蔵されるという利点がある。
【００２０】
下皿２の底面１８が球を下抜取口部６に向けて流下させる斜面を構成しているので、球が揚送入路１３や揚送筐体１０の下部に取り込まれることなく下皿２に貯蔵された状態において、球箱１９が下抜取口部６の真下に位置するように遊技機設置設備の棚２０の上に置かれ、遊技者が揚送操作体１５を操作することなく下扉操作体８を開方向に操作すると、揚送扉２１が揚送入路１３を閉鎖したまま、下抜取扉７が下抜取口部６を開放するので、遊技者が球に触れることなく、下皿２に貯蔵された球が揚送入路１３や揚送筐体１０の下部に取り込まれることなく下抜取口部６から落下して球箱１９に取り込まれるという利点がある。この場合、遊技者が下扉操作体８を開方向に操作し続けることによって、下皿２から全部の球を下皿２の下方外部に抜き取れることができるという利点がある。
【００２１】
揚送扉２１が揚送入路１３の底面１８に貫通する入口に設けられ、揚送扉２１を開閉する扉モータ２２が制御装置１７で制御され、下抜取扉７の開閉を感知する抜取スイッチ２３が皿揚球装置の固定部に設けられ、下抜取扉７が下抜取口部６を開放した場合に抜取スイッチ２３が扉開信号を制御装置１７に出力し、下抜取扉７が下抜取口部６を閉鎖した場合に抜取スイッチ２３が扉閉信号を制御装置１７に出力するので、球が下皿２に貯蔵された状態において、遊技者が下扉操作体８を開方向に操作することなく揚送操作体１５を操作すると、揚送扉２１が揚送入路１３を開放するように制御装置１７が扉モータ２２を制御し、かつ、揚送体１１が球を揚送するように制御装置１７が揚送モータ１２を駆動し、遊技者が球に触れることなく、揚送体１１が球を下皿２から上皿１に揚送することができるという利点がある（ステップ１０１がＹＥＳ、ステップ１０２がＮＯ、ステップ１０９がＹＥＳ、ステップ１１０、ステップ１１１参照）。
【００２２】
揚送扉２１が揚送入路１３の底面１８に貫通する入口に設けられ、揚送扉２１を開閉する扉モータ２２が制御装置１７で制御され、下抜取扉７の開閉を感知する抜取スイッチ２３が皿揚球装置の固定部に設けられ、下抜取扉７が下抜取口部６を開放した場合に抜取スイッチ２３が扉開信号を制御装置１７に出力し、下抜取扉７が下抜取口部６を閉鎖した場合に抜取スイッチ２３が扉閉信号を制御装置１７に出力するので、前記のように揚送体１１が球を下皿２から上皿１に揚送している最中において、遊技者が下扉操作体８を開方向に操作することなく揚送操作体１５を操作すると、揚送扉２１が揚送入路１３を閉鎖するように制御装置１７が扉モータ２２を駆動し、揚送体１１が球を揚送しないように制御装置１７が揚送モータ１２を停止し、遊技者が球に触れることなく、揚送体１１が球を揚送筐体１０の内部に残存した態様を形成することができるという利点がある（ステップ１０１がＹＥＳ、ステップ１０２がＹＥＳ、ステップ１０３がＹＥＳ、ステップ１０４、ステップ１０５参照）。
【００２３】
揚送扉２１が揚送入路１３の底面１８に貫通する入口に設けられ、揚送扉２１を開閉する扉モータ２２が制御装置１７で制御され、下抜取扉７の開閉を感知する抜取スイッチ２３が皿揚球装置の固定部に設けられ、下抜取扉７が下抜取口部６を開放した場合に抜取スイッチ２３が扉開信号を制御装置１７に出力し、下抜取扉７が下抜取口部６を閉鎖した場合に抜取スイッチ２３が扉閉信号を制御装置１７に出力するので、前記のように揚送モータ１２が停止し、揚送体１１が球を揚送筐体１０の内部に残存した状態において、遊技者が下扉操作体８を開方向に操作することなく揚送操作体１５を操作すると、揚送扉２１が揚送入路１３を開放したまま、揚送体１１が球を揚送するように制御装置１７が揚送モータ１２を駆動し、遊技者が球に触れることなく、揚送体１１が揚送筐体１０の内部に残存した球を上皿１に排出することができるという利点がある（ステップ１０１がＹＥＳ、ステップ１０２がＮＯ、ステップ１０９がＹＥＳ、ステップ１１０、ステップ１１１参照）。
【００２４】
揚送扉２１が揚送入路１３の底面１８に貫通する入口に設けられ、揚送扉２１を開閉する扉モータ２２が制御装置１７で制御され、下抜取扉７の開閉を感知する抜取スイッチ２３が皿揚球装置の固定部に設けられ、下抜取扉７が下抜取口部６を開放した場合に抜取スイッチ２３が扉開信号を制御装置１７に出力し、下抜取扉７が下抜取口部６を閉鎖した場合に抜取スイッチ２３が扉閉信号を制御装置１７に出力するので、前記のように揚送モータ１２が停止し、揚送体１１が球を揚送筐体１０の内部に残存した状態において、遊技者が揚送操作体１５を操作するとともに下扉操作体８を開方向に操作すると、揚送扉２１が揚送入路１３を閉鎖し、揚送扉２１による揚送入路１３の閉鎖から規定時間後に揚送体１１が球を揚送しないように制御装置１７が揚送モータ１２を停止し、遊技者が球に触れることなく、下皿２の球が下抜取口部６から下皿２の下方外部に抜き取られ、揚送体１１が揚送筐体１０の内部に残存した球を上皿１に排出することができるという利点がある（ステップ１０１がＹＥＳ、ステップ１０２がＮＯ、ステップ１０９がＮＯ、ステップ１１２乃至ステップ１１６参照）。
【００２５】
揚送扉２１が揚送入路１３の底面１８に貫通する入口に設けられ、揚送扉２１を開閉する扉モータ２２が制御装置１７で制御され、下抜取扉７の開閉を感知する抜取スイッチ２３が皿揚球装置の固定部に設けられ、下抜取扉７が下抜取口部６を開放した場合に抜取スイッチ２３が扉開信号を制御装置１７に出力し、下抜取扉７が下抜取口部６を閉鎖した場合に抜取スイッチ２３が扉閉信号を制御装置１７に出力するので、前記のように揚送体１１が球を下皿２から上皿１に揚送している最中において、遊技者が揚送操作体１５を操作するとともに下扉操作体８を開方向に操作すると、揚送扉２１が揚送入路１３を閉鎖し、揚送扉２１による揚送入路１３の閉鎖から規定時間後に揚送体１１が球を揚送しないように制御装置１７が揚送モータ１２を停止し、遊技者が球に触れることなく、揚送体１１が球を揚送筐体１０の内部に残存することなく上皿１に排出することができるという利点がある（ステップ１０１がＹＥＳ、ステップ１０２がＹＥＳ、ステップ１０３がＮＯ、ステップ１０６乃至ステップ１０８、ステップ１０５参照）。
【００２６】
揚送扉２１が扉モータ２２で開閉するように構成されたので、揚送扉２１を電磁ソレノイドで開閉する場合よりも、揚送扉２１がゆっくりと開閉して球を下皿２の外側に跳ね飛ばさないという利点がある。
【００２７】
図１において、揚送機構９は、螺旋状の揚送体１１が揚送体１１の上下方向に延びる軸心を中心として一方向に回転することによって、揚送体１１が揚送筐体１０の下部における球を１個ずつ分離しつつ上方に運搬する構成である。抜取スイッチ２３は、リミットスイッチなどの接触形スイッチまたは光電スイッチなどの非接触形スイッチにより構成される。抜取スイッチ２３は、下抜取扉７の開閉を検出することに代わり、下抜取口部６を通過する球を検出するスイッチとして構成されてもよい。この場合、抜取スイッチ２３が球を検出した信号を扉開信号として読み替え、抜取スイッチ２３が球を検出していない信号を扉閉信号として読み替えればよい。抜取スイッチ２３を開閉スイッチにより構成してもよい。この場合、抜取スイッチ２３による球を検出した信号または扉開信号を開閉スイッチが回路を接続した場合のオン信号と読み替え、抜取スイッチ２３による球を検出していない信号または扉閉信号を開閉スイッチが回路を遮断した場合のオフ信号と読み替えてもよい。
【００２８】
図２を参照し、下皿２の下抜取扉７および揚送扉２１の周りの構造について説明する。図２は、下抜取出口２５と揚送入口２６とが互いに繋がって１つの孔を構成し、下抜取扉７が下抜取出口２５を閉鎖し、揚送扉２１が揚送入口２６を閉鎖した状態である。このように、下抜取扉７および揚送扉２１の双方が閉じた場合、揚送扉２１の上面が下抜取扉７の上面よりも上方に配置される。閉じた下抜取扉７の上面は、球を揚送入口２６に向けて流下させる斜面を構成する。閉じた揚送扉２１の上面は、球を下抜取出口２５または底面１８に向けて流下させる斜面を構成する。下抜取出口２５は、下抜取口部６（図１参照）の底面１８に貫通する出口を構成する。揚送入口２６は、揚送入路１３（図１参照）の底面１８に貫通する入口を構成する。
【００２９】
下抜取扉７および下扉操作体８は互いに連結されており、下扉操作体８が人為操作によって下抜取扉７を開くように図外のばねのばね力に抗し例えば右から左に直線的に操作されるのに伴い、下抜取扉７が右から左に直線的に移動して下抜取出口２５を開放する。下抜取扉７が開いた状態において、上記下扉操作体８から人為操作が解除されると、図外のばねのばね力によって、下抜取扉７が左から右に直線的に移動して下抜取出口２５を閉鎖する。つまり、下抜取扉７は、下扉操作体８の操作に伴い機械式に開閉する構造になっている。下皿２の後壁には、下抜取入口２７が設けられる。下抜取入口２７は、図１の抜取通路３から下皿２に球を排出する前後方向への貫通孔である。
【００３０】
図３および図４を参照し、揚送扉２１の開閉について説明する。図３は、揚送扉２１が揚送入口２６を閉鎖した状態である。図４は、揚送扉２１が揚送入口２６を開放した状態である。図３に示すように、揚送扉２１が揚送入口２６を閉鎖した状態において、図１の扉モータ２２の駆動に伴い、揚送扉２１が下皿２との連結部としての扉軸２８を中心として下降を開始する。そして、図４に示すように、揚送扉２１が下降限度位置に到達し、図１の扉モータ２２が停止するのに伴い、揚送扉２１が下降限度位置に停止し、揚送扉２１が揚送入口２６を開放する。このように揚送扉２１が揚送入口２６を開放した場合、揚送扉２１の上面は球を揚送入口２６から揚送入路１３の方に流下させる斜面を構成する。このように揚送扉２１が揚送入口２６を開放すると、下皿２の球が矢印Ｘ５で示すように底面１８から揚送入口２６を経由して揚送扉２１の上面に落下した後、揚送扉２１の上面を流下して揚送入路１３に取り込まれる。
【００３１】
図５を参照し、下抜取扉７および揚送扉２１の関係について説明する。下抜取扉７が実線で示すように下抜取出口２５を閉鎖した場合、下抜取扉７の上面が球を揚送入口２６に向けて流下させる斜面を構成し、揚送扉２１が実線で示すように揚送入口２６を閉鎖した場合、揚送扉２１の上面が球を下抜取出口２５に向けて流下させる斜面を構成する。よって、揚送扉２１が実線で示すように揚送入口２６を閉鎖し、下抜取扉７が仮想線で示すように下抜取出口２５を開放した場合、遊技者が球に触れることがなく、球が矢印Ｘ１で示すように下皿２の下抜取出口２５から下皿２の下方外部に落下して球箱１９に取り込まれるという利点がある。下抜取扉７が実線で示すように下抜取出口２５を閉鎖し、揚送扉２１が仮想線で示すように揚送入口２６を開放した場合、遊技者が球に触れることがなく、球が矢印Ｘ２で示すように下皿２から揚送入口２６を経由して揚送入路１３に排出されるという利点がある。閉じた下抜取扉７と閉じた揚送扉２１との間の距離Ｄは、１個の球の半径よりも小さな寸法に設定され、下抜取扉７が仮想線で示すように下抜取出口２５を開放し、揚送扉２１が実線で示すように揚送入口２６を閉鎖した場合、球が距離Ｄの部分に滞留しないという利点がある。
【００３２】
図６を参照し、前記皿揚球装置を搭載したパチンコ遊技機について説明する。パチンコ遊技機は、遊技機枠３１の内部に図外の遊技盤を交換可能に取り付ける形態である。遊技機枠３１は、固定枠３２の前部に可動枠３３を開閉可能に備え、可動枠３３の前部に前扉３４および皿構造体３５を開閉可能に備える。固定枠３２は、遊技機設置設備に固定される。遊技機設置設備は、パチンコ遊技機を設置する遊技店の島と呼ばれる設備である。可動枠３３は、左側に位置するヒンジ３６を中心とし、固定枠３２の前で前方に開かれかつ後方に閉じられるように、片開き可能である。可動枠３３には、図外の施錠装置、図外の遊技盤を交換可能に取り付けるための機構、図外の球発射機構、図外の球払出装置が設けられる。前扉３４および皿構造体３５は、個別に、左側に位置するヒンジ３７を中心とし、可動枠３３の前で前方に開かれかつ後方に閉じられるように、片開き可能である。
【００３３】
前扉３４には、窓３８および前面パネル３９が設けられる。窓３８は、前後方向への貫通孔として構成される。前面パネル３９は、窓３８を後から塞ぐ大きさのガラスまたは合成樹脂からなる光透過性の有る無色な板状に構成される。皿構造体３５は、前扉３４よりも下部に配置される。皿構造体３５の前部には、上皿１、下皿２、上扉操作体５、下扉操作体８、揚送操作体１５、球発射操作機構４０が設けられる。皿構造体３５の内部には、抜取通路３、上抜取扉４、揚送機構９、揚送スイッチ１６が設けられる。上抜取扉４および上扉操作体５は互いに連結されており、上扉操作体５が図外ばねのばね力に抗し遊技者に操作されるのに伴い上抜取扉４が抜取通路３を開放するように動作し、上記上扉操作体５への遊技者からの操作が解除されるのに伴い上記ばねのばね力で上抜取扉４が抜取通路３を閉鎖するように動作する。つまり、上抜取扉４は、上扉操作体５の操作に伴い機械式に開閉する構造になっている。上皿１には、払出口４１、発射供給口４２、揚送出口４３が設けられる。上皿１における底部の球の接触する底面は、上皿１に取り込まれた球を発射供給口４２に向けて流下させる斜面を構成する。
【００３４】
図６において、遊技者が上皿１にパチンコ球と呼ばれる球を入れて球発射操作機構４０を右回りに操作すると、球発射機構が上皿１から発射供給口４２を経由して球発射機構に取り込まれた球を球発射操作機構４０の操作量に応じた発射力で１個ずつ図外の遊技盤の前面に向けて発射する。遊技盤の前面に到達した球が、遊技盤の前面を流下する過程において、遊技盤の前面の入賞部品に入賞すると、球払出装置が賞球としての球を遊技者に払い出すべく払出口４１から上皿１に払い出す。
【産業上の利用可能性】
【００３５】
図６において、前扉３４および皿構造体３５は一体であってもよい。遊技機はパチンコ遊技機に限定されるものではなくスロットマシンでもよい。つまり、遊技盤を図柄表示器に置換し、球発射操作機構４０を球取込操作機構に置換し、球発射機構を球取込機構に置換し、遊技開始操作機構および図柄停止操作機構を皿構造体３５の前部または前扉３４の前部に設ければ、皿揚球装置はスロットマシンにも適用できる。
【００３６】
図７は、発明を実施するための異なる第１の形態に係る遊技機の皿揚球装置を示す。図７において、揚送機構９は、スプロケット状の揚送体１１が前後または左右などの横方向に延びる軸心を中心として矢印Ｗ１で示す一方向に回転することによって、揚送体１１が揚送筐体１０の下部における球を１個ずつ分離しつつ上方に運搬する構成である。具体的には、揚送体１１は、揚送軸４４を中心として回転する周縁部に球を１個ずつ取り込むための複数の凹部４５を備える。凹部４５は、揚送体１１の外周面から揚送軸４４の方に窪み、揚送体１１の外周面に開口する。揚送軸４４には、揚送モータ１２の出力軸が連結される。揚送筐体１０の下部には、揚送体１１の上部を覆うカバー４６が設けられる。カバー４６の端部と下皿２の底面１８との間には揚送入口２６が形成される。よって、下皿２に球が貯蔵された状態において、揚送体１１が揚送モータ１２によって矢印Ｗ１で示す方向に回転されるのに伴い、揚送体１１がそれの下部における球を凹部４５に１個ずつ分離しつつ取り込んで下皿２の底面１８から揚送筐体１０の縦通路４７の方向に運搬する。縦通路４７の方向に運搬された球は、揚送体１１から離れて縦通路４７に送り出される。この縦通路４７に送り出された球は、当該球の下部に続いて凹部４５に取り込まれている球によって矢印Ｘ６で示すように上方に押し上げられる。これの繰り返しによって、球が下皿２から縦通路４７を経由して上皿１に揚送される。
【００３７】
皿揚球装置の動作について説明する。制御装置１７に内蔵されたコンピュータが電気の供給を受けて起動し、当該コンピュータが制御装置１７を示すブロックの中に図示したフローチャートにしたがった処理を実行する。つまり、制御装置１７に内蔵されたコンピュータが起動し、制御装置１７の処理が始まった後、揚送操作体１５が操作され、揚送スイッチ１６が揚送開始信号を制御装置１７に出力すると、ステップ２０１の揚送スイッチオンであるかの判定がＹＥＳとなり、ステップ２０２に進む。ステップ２０２では、揚送モータ駆動中であるかを判定する。ステップ２０２の判定において、揚送モータ駆動中であれば、揚送機構９が揚送動作していることから、ステップ２０１で入力された揚送開始信号が再入力された２回目の揚送開始信号であり、ステップ２０２がＹＥＳになり、ステップ２０３に進む。ステップ２０３では、下抜取扉７が下抜取口部６を閉鎖しているかを判定する。ステップ２０３の判定において、抜取スイッチ２３から扉閉信号が制御装置１７に入力されていることから、下抜取扉７が下抜取口部６を閉鎖していれば、ステップ２０３がＹＥＳになり、ステップ２０４に進む。ステップ２０４では、制御装置１７が揚送モータ１２を停止し、コンピュータによる処理の１サイクルを終わる。
【００３８】
ステップ２０３の判定において、抜取スイッチ２３から扉開信号が制御装置１７に入力されていることから、下抜取扉７が下抜取口部６を開放していれば、ステップ２０３がＮＯになり、ステップ２０５に進む。ステップ２０５では、揚送体１１が球を縦通路４７から下皿２の底面１８の方に運搬するように矢印Ｗ２で示す方向に回転するように、制御装置１７が揚送モータ１２を逆転し、ステップ２０６に進む。ステップ２０６では、ステップ２０５で揚送モータ１２の逆転を開始してからの逆転経過時間を計時し、ステップ２０７に進む。ステップ２０７では、ステップ２０７で計時した逆転経過時間が規定時間に到達したか否かを判定する。ステップ２０７の判定において、逆転経過時間が規定時間に到達していなければ、ステップ２０７がＮＯであり、ステップ２０６に戻る。ステップ２０７の判定において、逆転経過時間が規定時間に到達していれば、ステップ２０７がＹＥＳになり、ステップ２０４に進む。ステップ２０７の規定時間は、揚送モータ１２の逆転を開始してから揚送体１１が縦通路４７から揚送入路１３に残存する全ての球を下皿２の下抜取口部６の方に排出するまでに要する時間として、経験則から求められ、制御装置１７におけるコンピュータのＲＯＭに設定される。よって、揚送モータ１２がステップ２０７の規定時間だけ逆転することによって、球が揚送機構９に取り残されることはない。
【００３９】
前記ステップ２０２の判定において、揚送モータ駆動中でなければ、揚送機構９が揚送動作を停止していることから、ステップ２０１で入力された揚送開始信号が再入力ではない１回目の揚送開始信号であり、ステップ２０２がＮＯになり、ステップ２０８に進む。ステップ２０８では、下抜取扉７が下抜取口部６を閉鎖しているかを判定する。ステップ２０８の判定において、抜取スイッチ２３から扉閉信号が制御装置１７に入力されていることから、下抜取扉７が下抜取口部６を閉鎖していれば、ステップ２０８がＹＥＳになり、ステップ２０９に進む。ステップ２０９では、揚送体１１が球を下皿２の底面１８から縦通路４７の方に運搬するように矢印Ｗ１で示す方向に回転するように、制御装置１７が揚送モータ１２を正転し、コンピュータによる処理の１サイクルを終わる。ステップ２０８の判定において、抜取スイッチ２３から扉開信号が制御装置１７に入力されていることから、下抜取扉７が下抜取口部６を開放していれば、ステップ２０８がＮＯになり、ステップ２０５に進む。
【００４０】
異なる第１の形態によれば、スプロケット状の揚送体１１が揚送筐体１０の下部における球を１個ずつ分離しつつ上方に運搬する構成であるので、縦通路４７は直線状または湾曲状の通路形態を容易に採用することができる。揚送入路１３が球を縦通路４７から下抜取口部６の方に流下させるような傾斜になっているので、揚送入口２６を開閉するための図１に示す揚送扉２１を設けてもよいがなくてもよい。図１に示す揚送扉２１を設ければ、図７における揚送入路１３の揚送軸４４より右下部を揚送体１１の周縁部を囲む上方に指向する弧状に形成してもよい。その理由は、揚送体１１が矢印Ｗ２で示す方向に逆転することによって、球が弧状になった揚送入路１３の揚送軸４４より右下部から揚送入口２６を経由して下皿２の底面１８の上に排出されるので、球が揚送入路１３に取り残されることがなく、制御装置１７のコンピュータが図１の制御装置１７を示すブロックの中に図示したフローチャートにしたがった処理を実行することができるようになる。
【００４１】
図８および図９は、発明を実施するための異なる第２の形態である。図８は、遊技機の皿揚球装置を示す。図９は、皿揚球装置の制御の流れを示す。図８において、揚送開始操作体４８と揚送停止操作体４９と揚送開始スイッチ５０と揚送停止スイッチ５１とが設けられる。揚送開始操作体４８および揚送停止操作体４９が図１の揚送操作体１５に相当し、揚送開始スイッチ５０および揚送停止スイッチ５１が図１の揚送スイッチ１６に相当する。そして、揚送開始操作体４８が人為操作されると、揚送開始スイッチ５０が揚送開始信号を制御装置１７に出力し、揚送停止操作体４９が人為操作されると、揚送停止スイッチ５１が揚送停止信号を制御装置１７に出力する。
【００４２】
図９を参照し皿揚球装置の動作について説明する。この動作の説明において、下抜取口部６、下抜取扉７、揚送機構９、揚送モータ１２、揚送入路１３、制御装置１７、揚送扉２１、扉モータ２２、抜取スイッチ２３、揚送開始操作体４８、揚送開始スイッチ５０、揚送停止スイッチ５１については、図８を参照。
【００４３】
図９では、制御装置１７に内蔵されたコンピュータが電気の供給を受けて起動し、当該コンピュータが制御装置１７を示すブロックの中に図示したフローチャートにしたがった処理を実行する。つまり、制御装置１７に内蔵されたコンピュータが起動し、制御装置１７の処理が始まった後、揚送開始操作体４８が操作され、揚送開始スイッチ５０が揚送開始信号を制御装置１７に出力すると、ステップ３０１の揚送スイッチオンであるかの判定がＹＥＳとなり、ステップ３０２に進む。ステップ３０２では、揚送モータ停止中であるかを判定する。ステップ３０２の判定において、揚送モータ停止中であれば、揚送機構９が揚送停止していることから、ステップ３０２がＹＥＳになり、ステップ３０３に進む。ステップ３０３では、下抜取扉７が下抜取口部６を閉鎖しているかを判定する。ステップ３０３の判定において、抜取スイッチ２３から扉閉信号が制御装置１７に入力されていることから、下抜取扉７が下抜取口部６を閉鎖していれば、ステップ３０３がＹＥＳになり、ステップ３０４に進む。ステップ３０４では、揚送扉２１が揚送入路１３を開放するように、制御装置１７が扉モータ２２を制御し、ステップ３０５に進む。ステップ３０５では、制御装置１７が揚送モータ１２を駆動し、コンピュータによる処理の１サイクルを終わる。
【００４４】
ステップ３０３の判定において、抜取スイッチ２３から扉開信号が制御装置１７に入力されていることから、下抜取扉７が下抜取口部６を開放していれば、ステップ３０３がＮＯになり、ステップ３０６に進む。ステップ３０６では、揚送扉２１が揚送入路１３を閉じるように、制御装置１７が扉モータ２２を制御し、ステップ３０７に進む。ステップ３０７では、制御装置１７が揚送モータ１２を駆動し、ステップ３０８に進む。ステップ３０８では、ステップ３０６で揚送扉２１が閉じてからの揚送経過時間を計時し、ステップ３０９に進む。ステップ３０９では、ステップ３０８で計時した揚送経過時間が規定時間に到達したか否かを判定する。ステップ３０９の判定において、揚送経過時間が規定時間に到達していなければ、ステップ３０９がＮＯであり、ステップ３０８に戻る。ステップ３０９の判定において、揚送経過時間が規定時間に到達していれば、ステップ３０９がＹＥＳになり、ステップ３１０に進む。ステップ３１０では、制御装置１７が揚送モータ１２を停止し、コンピュータによる処理の１サイクルを終わる。
【００４５】
前記ステップ３０１の判定において、揚送開始信号が制御装置１７に入力されていないで、かつ、揚送停止操作体４９が操作され、揚送停止スイッチ５１が揚送停止信号を制御装置１７に出力すると、ステップ３０１がＮＯになり、ステップ３１１に進む。ステップ３１１では、揚送停止であるかを判定する。揚送停止スイッチ５１が揚送停止信号を制御装置１７に出力していることから、ステップ３１１がＹＥＳとなり、ステップ３１２に進む。ステップ３１２では、揚送モータ駆動中であるかを判定する。ステップ３１２の判定において、揚送モータ駆動中であれば、揚送機構９が揚送動作していることから、ステップ３１２がＹＥＳになり、ステップ３１３に進む。ステップ３１３では、下抜取扉７が下抜取口部６を閉鎖しているかを判定する。ステップ３１３の判定において、抜取スイッチ２３から扉閉信号が制御装置１７に入力されていることから、下抜取扉７が下抜取口部６を閉鎖していれば、ステップ３１３がＹＥＳになり、ステップ３１４に進む。ステップ３１４では、揚送扉２１が揚送入路１３を閉鎖するように、制御装置１７が扉モータ２２を制御し、ステップ３１５に進む。ステップ３１５では、制御装置１７が揚送モータ１２を停止し、コンピュータによる処理の１サイクルを終わる。
【００４６】
ステップ３１３の判定において、抜取スイッチ２３から扉開信号が制御装置１７に入力されていることから、下抜取扉７が下抜取口部６を開放していれば、ステップ３１３がＮＯになり、ステップ３１６に進む。ステップ３１６では、揚送扉２１が揚送入路１３を閉鎖するように、制御装置１７が扉モータ２２を制御し、ステップ３１７に進む。ステップ３１７では、ステップ３１６で揚送扉２１が閉じてからの揚送経過時間を計時し、ステップ３１８に進む。ステップ３１８では、ステップ３１７で計時した揚送経過時間が規定時間に到達したか否かを判定する。ステップ３１８の判定において、揚送経過時間が規定時間に到達していなければ、ステップ３１８がＮＯであり、ステップ３１７に戻る。ステップ３１８の判定において、揚送経過時間が規定時間に到達していれば、ステップ３１８がＹＥＳになり、ステップ３１５に進む。３０９の規定時間およびステップ３１８の規定時間は、互いに同じ時間であって、図１のステップ１０８およびステップ１１５の規定時間と同じである。図９の結合子Ａは互いに接続される。
【図面の簡単な説明】
【００４７】
【図１】遊技機の皿揚球装置の模式図（最良の形態）。
【図２】下皿の斜視図（最良の形態）。
【図３】図２のＡ−Ａ線断面図（最良の形態）。
【図４】揚送扉が揚送入口を開放した図２のＡ−Ａ線断面図に相当する断面図（最良の形態）。
【図５】図２のＢ−Ｂ線断面図（最良の形態）。
【図６】皿揚球装置を搭載したパチンコ遊技機の斜視図（最良の形態）。
【図７】遊技機の皿揚球装置の模式図（異なる第１形態）。
【図８】遊技機の皿揚球装置の模式図（異なる第２形態）。
【図９】皿揚球装置のフローチャート（異なる第２形態）。
【図１０】遊技機の皿揚球装置（従来）。
【符号の説明】
【００４８】
１は上皿、２は下皿、３は抜取通路、４は上抜取扉、５は上扉操作体、６は下抜取口部、７は下抜取扉、８は下扉操作体、９は揚送機構、１０は揚送筐体、１１は揚送体、１２は揚送モータ、１３は揚送入路、１４は揚送出路、１５は揚送操作体、１６は揚送スイッチ、１７は制御装置、１８は下皿２の底面、１９は球箱、２０は棚、２１は揚送扉、２２は扉モータ、２３は抜取スイッチ、２４は欠番、２５は下抜取出口、２６は揚送入口、２７は下抜取入口、２８は扉軸、２９は欠番、３０は欠番、３１は遊技機枠、３２は固定枠、３３は可動枠、３４は前扉、３５は皿構造体、３６はヒンジ、３７はヒンジ、３８は窓、３９は前面パネル、４０は球発射操作機構、４１は払出口、４２は発射供給口、４３は揚送出口、４４は揚送軸、４５は凹部、４６はカバー、４７は縦通路、４８揚送開始操作体、４９揚送停止操作体、５０揚送開始スイッチ、５１揚送停止スイッチ、Ｄは下抜取扉７と揚送扉２１との間の距離。
【図１】
2008188094.tif 000003
【図２】
2008188094.tif 000004
【図３】
2008188094.tif 000005
【図４】
2008188094.tif 000006
【図５】
2008188094.tif 000007
【図６】
2008188094.tif 000008
【図７】
2008188094.tif 000009
【図８】
2008188094.tif 000010
【図９】
2008188094.tif 000011
【図１０】
2008188094.tif 000012